(57)【要約】  鉤爪を手入れする間にストレスを最小限にして動物を安全に保持し、その一方で手入れされるべき鉤爪の一部へユーザーアクセスを提供するためのチャンバアセンブリが、開示される。好ましい実施形態において、チャンバは、異なる大きさの動物を収容するように調節可能である。特定の実施形態において、チャンバは保管又は運搬のために折り畳むことができる。【選択図】図９Ａ
2015506682.tif 000002
【特許請求の範囲】
【請求項１】
チャンバアセンブリであって、該チャンバアセンブリは：
第１端部及び第１端部に対向する第２端部、第１端部にある第１端部パネル、第１側部パネル、第２側部パネル、及び第１端部パネルに対向する位置決めパネルを有するチャンバであって；ここで、第１側部パネルは、第１端部パネル及び位置決めパネルに付けられ、第２側部パネルは、第１端部パネル及び位置決めパネルに付けられる、チャンバ、及び
上面及び下面を有するチャンバメッシュ床部に付けられる内枠、及びアセンブリ傾斜支持体又はロッキングヒンジを有する、土台
を含むことを特徴とする、チャンバアセンブリ。
【請求項２】
土台は外枠を更に含むことを特徴とする、請求項１に記載のチャンバアセンブリ。
【請求項３】
土台は、外枠及び内枠に枢着される土台ヒンジを更に含むことを特徴とする、請求項２に記載のチャンバアセンブリ。
【請求項４】
頂部パネルを更に含むことを特徴とする、請求項１に記載のチャンバアセンブリ。
【請求項５】
頂部パネルは、少なくとも１つのヒンジによって少なくとも１つの側部に固定されることを特徴とする、請求項４に記載のチャンバアセンブリ。
【請求項６】
頂部パネルは、少なくとも１つのラッチによって少なくとも１つの側部に固定されることを特徴とする、請求項４に記載のチャンバアセンブリ。
【請求項７】
チャンバは、少なくとも１つのラッチによって内枠に固定されることを特徴とする、請求項１に記載のチャンバアセンブリ。
【請求項８】
チャンバは、少なくとも１つのラッチによって外枠に固定されることを特徴とする、請求項２に記載のチャンバアセンブリ。
【請求項９】
内枠は、アセンブリ傾斜支持体に枢着されることを特徴とする、請求項１に記載のチャンバアセンブリ。
【請求項１０】
外枠は、アセンブリ傾斜支持体に枢着されることを特徴とする、請求項２に記載のチャンバアセンブリ。
【請求項１１】
第１端部パネル、第１側部パネル、第２側部パネル、及び位置決めパネルの少なくとも１つが柔軟性であることを特徴とする、請求項１に記載のチャンバアセンブリ。
【請求項１２】
少なくとも１つのパネル支持部材を更に含むことを特徴とする、請求項１１に記載のチャンバアセンブリ。
【請求項１３】
チャンバは、運搬又は保管のために折り畳むことができることを特徴とする、請求項１に記載のチャンバアセンブリ。
【請求項１４】
動物の鉤爪を手入れする方法であって、該方法は：
動物を請求項１に記載のチャンバアセンブリに入れる工程；
動物の頭がチャンバの第１端部パネルの方に向き、且つ動物の脚がチャンバメッシュ床部の上面にあるように動物を方向付ける工程、
チャンバの第２端部の上にチャンバの第１端部を上昇させる工程であって、それによって動物の鉤爪が、チャンバメッシュ床部の下面より下にあるチャンバメッシュ床部中の開口部を通って伸びる、工程；
チャンバメッシュ床部の下面にユーザーアクセスを提供する工程；及び
チャンバメッシュ床部の下面より下に伸びる動物の鉤爪の一部を除去し、それにより動物の鉤爪を手入れする工程
を含むことを特徴とする、方法。
【請求項１５】
チャンバメッシュ床部の下面にユーザーアクセスを提供する工程は、重力に関して選択された角度でチャンバメッシュ床部を維持するために、チャンバの第２端部上にチャンバの第１端部を支持する工程をさらに含むことを特徴とする、請求項１４に記載の方法。
【請求項１６】
チャンバメッシュ床部の下面より下に伸びる、動物の鉤爪の一部は、クリッパー又は研削砥石で除去されることを特徴とする、請求項１４に記載の方法。
【請求項１７】
選択される角度は約３０−７５度であることを特徴とする、請求項１５に記載の方法。
【発明の詳細な説明】
【技術分野】
【０００１】
動物の登ろうとする自然の性質を利用することにより、動物の鉤爪を手入れすることが可能な、チャンバ及び傾斜土台が開示される。好ましい実施形態において、チャンバは、猫又は鳥などのコンパニオン・アニマルを収容するほどの大きさである。
【背景技術】
【０００２】
コンパニオン・アニマルの爪又は鉤爪は常に成長し、動物への不快感又は傷害を回避するために時々手入れする必要がある。しかし、手入れ工程の間に動物を安全且つ人道的に保持することが問題であり、一般の方法は大抵、ペットと手入れを行うヒトの両方への困難又は損傷の可能性を提起する。
【発明の概要】
【０００３】
鉤爪を手入れする間にストレスを最小限にして動物を安全に保持し、その一方で手入れされるべき鉤爪の一部へユーザーアクセスを提供するための、チャンバアセンブリ（組立構体）が開示される。好ましい実施形態において、チャンバは、異なる大きさの動物を収容するように調整可能である。特定の実施形態において、チャンバは、保管又は運搬のために折り畳むことができる。
【０００４】
特定の実施形態において、チャンバアセンブリが提供され、該アセンブリは、第１端部及び第１端部に対向する第２端部、第１端部にある第１端部パネル、第１側部パネル、第２側部パネル、及び第１端部パネルに対向する位置決めパネルを有するチャンバであって；ここで、第１側部パネルは、第１端部パネル及び位置決めパネルに付けられ、第２側部パネルは、第１端部パネル及び位置決めパネルに付けられる、チャンバ、及び、上面及び下面を有するチャンバメッシュ床部に付けられる内枠及びアセンブリ傾斜支持体又はロッキングヒンジを有する、土台を含む。典型的には、チャンバアセンブリは外枠も含む。特定の実施形態において、チャンバは頂部パネルも含む。
【０００５】
特定の実施形態において、土台の外枠及び内枠は、典型的に、枠が長方形の場合に対応する短い側部にて、枢着される。好ましくは、内枠は内側に入れ子にし（ｎｅｓｔｓ）、外枠と共に同一平面上にある。特定の実施形態において、土台の外枠及び内枠は、ヒンジによって枢着される。
【０００６】
好ましい実施形態において、頂部パネルはヒンジによってチャンバの少なくとも１つの側部パネルに固定される。好ましい実施形態において、頂部パネルはラッチによってチャンバの少なくとも１つの側部パネルに固定される。特定の実施形態において、チャンバは少なくとも１つのラッチによって内枠に固定される。特定の実施形態において、チャンバは少なくとも１つのラッチによって外枠に固定される。内枠は、アセンブリ傾斜支持体に枢着され得、又は外枠は、アセンブリ傾斜支持体に枢着され得る。好ましくは、チャンバは運搬又は保管のために折り畳まれ得る。
【０００７】
他の実施形態において、動物の鉤爪を手入れする方法が提供され、該方法は、動物をチャンバアセンブリに入れる工程、動物の頭がチャンバの第１端部パネルの方に向き、且つ動物の脚がチャンバメッシュ床部の上面にあるように動物を方向付ける工程、チャンバの第２端部の上にチャンバの第１端部を上昇させる工程であって、それによって動物の鉤爪が、チャンバメッシュ床部の下面より下にあるチャンバメッシュ床部中の開口部を通って伸びる、工程；チャンバメッシュ床部の下面にユーザーアクセスを提供する工程；及び、チャンバメッシュ床部の下面より下に伸びる動物の鉤爪の一部を除去し、それにより動物の鉤爪を手入れする工程を含む。好ましい実施形態において、チャンバメッシュ床部の下面にユーザーアクセスを提供する工程は、重力に関して選択された角度でチャンバメッシュ床部を維持するために、チャンバの第２端部上にチャンバの第１端部を支持する工程をさらに含む。一般的に、チャンバメッシュ床部の下面より下に伸びる、動物の鉤爪の一部は、クリッパー又は研削砥石で除去される。典型的に、角度は約３０−７５度である。
【図面の簡単な説明】
【０００８】
添付図面で図示されるように、前述及び他の特徴並びに利点は、本開示の例示的な実施形態の以下のより詳細な記載から明白となり、図面における参照符号は、異なる視点の全体にわたり同じ部分を指す。図面は、必ずしも正確な縮尺ではなく、重点は、本開示の原理を説明する際に置かれる。
【図１Ａ】鉤爪手入れ用チャンバ（１００）及び土台（２００）を含む、鉤爪手入れ用チャンバアセンブリ（１０）の実施形態の側面図を示す。
【図１Ｂ】鉤爪手入れ用チャンバアセンブリの実施形態の土台（２００）の上面図を示す。
【図１Ｃ】折り畳んだ鉤爪手入れ用チャンバ（１００）及び土台（２００）を含む鉤爪手入れ用チャンバアセンブリの実施形態の側面図を示す。
【図１Ｄ】外枠（２１０）、内枠（２２０）、保持枠（２２２）、チャンバメッシュ床部（２５０）、第１側部（１２０）、及び第２側部（１２２）を示す、図１ＡのＡ−Ａ線断面図を示す、鉤爪手入れ用チャンバ及び土台の実施形態を示す。
【図２】鉤爪手入れ用チャンバアセンブリの実施形態の第１端部（１３０）の端面図を示す。
【図３】チャンバ（１００）、土台（２００）、第１側部（１２０）、第２側部（１２２）、第１端部（１３０）、ガイド（１４０）、除去可能なパネル（１５０）、外枠（２１０）、内枠（２２０）、アセンブリ傾斜支持体（２４０）、チャンバメッシュ床部（２５０）、及び外枠脚部（２６０）を示す、上昇位置にある鉤爪手入れ用チャンバアセンブリ（１０）の実施形態の斜視図を示す。明瞭さのため、頂部（１１０）、頂部ラッチ（１６０）、任意の土台ラッチ（１６５）、チャンバ接合部（１８０）、チャンバヒンジ（１８２）、及び土台ヒンジ（２３０）は、この図面から省略された。
【図４Ａ】共通機能を示す鉤爪手入れ用チャンバの実施形態の側面図の概略図である。
【図４Ｂ】上昇位置にある鉤爪手入れ用チャンバアセンブリの実施形態の側面図の概略図であり、ここで、鉤爪手入れ用チャンバアセンブリは、外枠（２１０）を有するが、アセンブリ傾斜支持体（２４０）を欠く。
【図４Ｃ】上昇位置にある鉤爪手入れ用チャンバアセンブリの実施形態の側面図の概略図であり、ここで、鉤爪手入れ用チャンバアセンブリは、アセンブリ傾斜支持体（２４０）を有するが、外枠（２１０）を欠く。特定の実施形態において、１つ以上の折り畳み締め具（２４６）は、アセンブリ傾斜支持体（２４０）を内枠（２１０）に繋げる。
【図４Ｄ】上昇位置にある鉤爪手入れ用チャンバアセンブリの実施形態の斜視図であり、ここで、鉤爪手入れ用チャンバアセンブリは、アセンブリ傾斜支持体（２４０）を有するが、外枠（２１０）を欠く。
【図５Ａ】図４Ａに従った鉤爪手入れ用チャンバアセンブリの２つの実施形態の斜視図であり、チャンバヒンジ（１８２）を使用して頂部（１１０）及び位置決めパネル（１５０）をチャンバに接続する工程を示す。
【図５Ｂ】図４Ａに従った鉤爪手入れ用チャンバアセンブリの２つの実施形態の斜視図であり、チャンバヒンジ（１８２）を使用して頂部（１１０）及び位置決めパネル（１５０）をチャンバに接続する工程を示す。
【図６Ａ】鉤爪手入れ用チャンバ及び内枠（２２０）が単一の水平な成型構造において製造される実施形態の概略図である。
【図６Ｂ】強化隆起部（１４４）を有し、且つチャンバ接合部（１８０）により組み立てられる、図６Ａの成型構造の実施形態の斜視図である。
【図７Ａ】柔らかい側部及び端部パネルを有し、且つ鉤爪手入れ用チャンバアセンブリを形成するように土台（２００）に取り付けられる、図４Ａに従った鉤爪手入れ用チャンバの実施形態の斜視図である。
【図７Ｂ】柔らかい側部及び端部パネルを有し、且つ鉤爪手入れ用チャンバアセンブリを形成するように土台（２００）に取り付けられる、図４Ａに従った鉤爪手入れ用チャンバの実施形態の斜視図である。
【図８Ａ】外枠、内枠（２２０）、メッシュ底部（２５０）、及びアセンブリ傾斜支持体（２４０）の構成要素を示す、上昇位置にある図７Ａ及び図７Ｂに従った実施形態の鉤爪手入れ用チャンバアセンブリの土台の分解斜視図である。
【図８Ｂ】外枠部材（２１４）へのアセンブリ傾斜支持体（２４０）の枢軸的な取り付けを示す、水平位置にある図８Ａの外枠の角の詳細の斜視図である。
【図９Ａ】位置決めパネル（１５０）が開くことを示す、図７Ａ及び図７Ｂに従った実施形態の鉤爪手入れ用チャンバアセンブリの斜視図である。
【図９Ｂ】土台（２００）から外され、且つ折り畳まれた、図９Ａの鉤爪手入れ用チャンバの斜視図である。
【図１０Ａ】上昇位置にある図７Ａ及び図７Ｂに従った実施形態の鉤爪手入れ用チャンバアセンブリの斜視図である。
【図１０Ｂ】図１０Ａの鉤爪手入れ用チャンバアセンブリの側面図である。
【図１１】鉤爪手入れ用チャンバ（１００）、内枠（２２０）、及び外枠（２１０）の関係を示す、図７Ａ及び図７Ｂに従った実施形態の鉤爪手入れ用チャンバアセンブリの分解斜視図である。
【発明を実施するための形態】
【０００９】
一般的に、鉤爪手入れ用チャンバアセンブリは、特定の動物又は適切な動物のサイズ範囲を収容するような大きさである。好ましい実施形態において、鉤爪手入れ用チャンバアセンブリの長さは、くつろいでうつ向けになった動物の長さに合わせられる。好ましい実施形態において、鉤爪手入れ用チャンバアセンブリの幅は、動物の反転を阻止するほど十分に狭い。好ましい実施形態において、鉤爪手入れ用チャンバアセンブリの高さは、チャンバが水平位置にある時にチャンバメッシュ床部に動物の脚の底を適応させるように、動物をうつ向けにするほど十分に低く合わせられる。特定の実施形態において、動物を含むチャンバの長さ、幅、及び高さの寸法の少なくとも１つが、調整可能である。
【００１０】
使用時に、チャンバの１つの端部は、水平位置からチャンバを動かすように持ち上げられ、チャンバメッシュ床部の下側への都合のよいアクセスを提供する上昇位置に固定される。チャンバの端部が持ち上げられると、動物は、その位置を維持するためにチャンバメッシュ床部を通して自身の鉤爪を自然に伸ばす。チャンバが上昇位置にある端部により固定される時、動物の鉤爪はチャンバメッシュ床部を通って伸ばしたままにされ、動物の鉤爪の先端は、苦痛又は損傷の可能性が最小となるように手入れされる。メッシュのゲージは、動物の鉤爪、及び足又は脚部に必要とされる強度及び適切な間隔を提供するため、動物の大きさに依存して選択される。
【００１１】
共に得られる図１Ａ乃至図１１は、鉤爪手入れ用チャンバアセンブリの幾つかの実施形態を示す。図１Ａは、鉤爪手入れ用チャンバ（１００）及び土台（２００）を含む、鉤爪手入れ用チャンバアセンブリ（１０）の実施形態の側面図を示す。１つの実施形態において、チャンバ（１００）の外形は、上面、側面、及び端面において長方形である。鉤爪手入れ用チャンバ（１００）は、頂部パネル（１１０）、第１側部パネル（１２０）、第２側部パネル（１２２）、第１端部パネル（１３０）、及び第２端部パネル（１３２）を含み、各々は内面及び外面を有する。通気口（１７０）が、頂部パネル（１１０）、第１側部パネル（１２０）、第２側部パネル（１２２）、第１端部パネル（１３０）、及び第２端部パネル（１３２）の少なくとも１つ、好ましくは全てに設けられる。チャンバの床は、土台（２００）の内枠（２２０）のチャンバメッシュ床部（２５０）によって形成される。
【００１２】
好ましい実施形態において、頂部パネル（１１０）は、少なくとも１つのチャンバヒンジ（１８２）によって、第１側部パネル（１２０）又は第２側部パネル（１２２）の何れか付けられ、少なくとも１つの頂部ラッチ（１６０）により対向する側部パネル及び／又は少なくとも１つの端部パネルに固定される。他の実施形態において、頂部パネル（１１０）は、少なくとも１つのチャンバヒンジ（１８２）によって、第１端部パネル（１３０）又は第２端部パネル（１３２）の何れかに付けられ、少なくとも１つの頂部ラッチ（１６０）により対向する端部パネル及び／又は少なくとも１つの側部パネルに固定される。チャンバヒンジ（１８２）は、ピンヒンジなどの任意の適切なヒンジ、又は、ポリマー、織物、或いは複合材料などの可撓性材料を含むリビングヒンジ（ｌｉｖｉｎｇ  ｈｉｎｇｅ）でもよい。特定の実施形態において、チャンバヒンジ（１８２）は、チャンバの側部パネル及び端部パネルを構築するために使用される、同じ半透明又は透明なポリマーで作られるポリマーリビングヒンジを含む。
【００１３】
更なる実施形態において、頂部は、第１側部及び第２側部の上側端部において形成された軌道にて摺動するパネルでもよい。また更なる実施形態において、頂部は、第１側部、第２側部、第１端部、及び第２端部の上側端部に固定される、織物、不織布、又はポリマーのシートの柔軟なパネルでもよい。
【００１４】
特定の実施形態において、頂部ラッチ（１６０）は、ヒンジに付けられる側部に対向する側部の内面、外面、又は端に付けられる側部（１６４）、及び頂部（１１０）の内面、外面、又は端に付けられる対応する頂部（１６２）を含む。特定の実施形態において、頂部ラッチ（１６０）は、フック及びアイラッチなどの磁気ラッチ又は機械的ラッチ、スナップラッチ、又はフック及びループラッチでもよい。
【００１５】
第１側部パネル（１２０）の内面及びチャンバ（１００）の第２側部パネル（１２２）は、少なくとも１つのチャネル（１４２）を画成する複数のガイド（１４０）を有する。好ましい実施形態において、チャンバが上昇位置に上げられる時に、除去可能な位置決めパネル（１５０）は、動物の体重のいくらかを支えるためチャネル（１４０）に置かれ、それによって鉤爪によって支えられる体重を減らし、且つ、動物の快適さを増加させる。
【００１６】
図１Ｄは、外枠（２１０）、内枠（２２０）、保持枠（２２２）、チャンバメッシュ床部（２５０）、第１側部パネル（１２０）の下端部、及び第２側部パネル（１２２）の下端部を示す、図１ＡのＡ−Ａ線断面図を示す、鉤爪手入れ用チャンバ及び土台の実施形態を示す。
【００１７】
特定の実施形態において、チャンバ（１００）は土台（２００）に配置され、内枠（２２０）により支持される。幾つかの実施形態において、チャンバ（１００）は、第１側部パネル（１２０）、第２側部パネル（１２２）、第１端部パネル（１３０）、第２端部パネル（１３２）、及び内枠（２２０）の下端部の外面の間の適合によって、少なくとも部分的に、土台（２００）の上の位置で維持される。図１Ｄを参照。
【００１８】
他の実施形態において、チャンバ（１００）はまた、１つ以上の任意の土台ラッチ（１６５）によって土台（２００）に付けられる。土台ラッチ（１６５）は、第１側部パネル（１２０）、第２側部パネル（１２２）、第１端部パネル（１３０）、及び／又は第２端部パネル（１３２）の内面、外面、又は縁に付けられる側部（１６９）、及び内枠（２２０）に付けられる対応する土台部分（２６７）を含む。特定の実施形態において、土台ラッチ（１６５）は、フック及びアイラッチなどの磁気ラッチ又は機械的ラッチ、スナップラッチ、又はフック及びループラッチでもよい。特定の実施形態において、底部ラッチ（１６５）の側部（１６９）は、チャンバメッシュ床部（２５０）と相互に作用する。
【００１９】
土台（２００）は、外枠脚部（２６０）に付けられた外枠（２１０）、内枠（２２０）、及びアセンブリ傾斜支持体（２４０）を含む。チャンバメッシュ床部（２５０）は内枠（２２０）に付けられる。特定の実施形態において、内枠（２２０）は、チャンバ（１００）の第２端部（１３２）に相当する内枠の側部の上で旋回する。好ましい実施形態において、内枠（２２０）及び外枠（２１０）は、少なくとも１つの土台ヒンジ（２３０）によって枢着される。土台ヒンジ（２３０）は、ピンヒンジなどの任意の適切なヒンジ、又は、ポリマー、織物、或いは複合材料などの可撓性材料を含むリビングヒンジでもよい。
【００２０】
第１側部パネル（１２０）及び第２側部パネル（１２２）は、チャンバ接合部（１８０）にて、第１端部パネル（１３０）及び第２端部パネル（１３２）に繋げられる。好ましい実施形態において、チャンバ接合部（１８０）はチャンバヒンジ（１８２）を含む。チャンバヒンジ（１８２）は、ピンヒンジなどの任意の適切なヒンジ、又は、ポリマー、織物、或いは複合材料などの可撓性材料を含むリビングヒンジでもよい。特定の実施形態において、チャンバヒンジ（１８２）はポリマーリビングヒンジを含む。チャンバ（１００）は、図１Ｃに示されるように、運搬又は保管のため土台（２００）の上で折り畳まれ得る。
【００２１】
好ましい実施形態において、頂部パネル（１１０）、第１側部パネル（１２０）、第２側部パネル（１２２）、第１端部パネル（１３０）、及び第２端部パネル（１３２）の少なくとも１つは、半透明又は透明な材料から構築される。特定の実施形態において、半透明又は透明な材料はポリマーシートである。幾つかの実施形態において、同じポリマーが、頂部パネル（１１０）、第１側部パネル（１２０）、第２側部パネル（１２２）、第１端部パネル（１３０）、及び第２端部パネル（１３２）、並びにチャンバヒンジ（１８２）中のリビングヒンジを形成するために、使用される。他の実施形態において、頂部パネル（１１０）、第１側部パネル（１２０）、第２側部パネル（１２２）、第１端部パネル（１３０）の少なくとも１つは、非織物、柔軟なメッシュ、又は柔軟なポリマーシートなどの可撓性材料を含む。
【００２２】
図３は、チャンバ（１００）、土台（２００）、第１側部パネル（１２０）、第２側部パネル（１２２）、第１端部パネル（１３０）、ガイド（１４０）、除去可能な位置決めパネル（１５０）、外枠（２１０）、内枠（２２０）、アセンブリ傾斜支持体（２４０）、チャンバメッシュ床部（２５０）、及び脚部（２６０）を示す、上昇位置にある鉤爪手入れ用チャンバアセンブリ（１０）の実施形態の斜視図を示す。明瞭さのため、頂部パネル（１１０）、頂部ラッチ（１６０）、任意の土台ラッチ（１６５）、チャンバ接合部（１８０）、チャンバヒンジ（１８２）、及び土台ヒンジ（２３０）は、図３から省略された。
【００２３】
アセンブリ傾斜支持体（２４０）は、単一部材又は対となる部材を含み得る。アセンブリ傾斜支持体（２４０）は、固定された長さを有し、調整可能、例えば、短くして（ｔｅｌｅｓｃｏｐｉｎｇ）も良い。特定の実施形態において、アセンブリ傾斜支持体（２４０）は、内枠（２２０）に接触するその上部端にて枢着される。特定の実施形態において、アセンブリ傾斜支持体（２４０）は、外枠（２１０）に接触する１つの端部にて枢着される。他の実施形態において、アセンブリ傾斜支持体（２４０）は、ピン継手を有し、且つピン継手から遠位にある端部で内枠（２２０）及び外枠（２１０）にそれぞれ枢着される、２つのセクションを含む。他の実施形態において、アセンブリ傾斜支持体（２４０）の下端部は、外枠（２１０）の代わりに外枠脚部（２６０）に枢軸的に付けられる。
【００２４】
図４Ａは、様々な実施形態の共通機能を示す、水平位置にある鉤爪手入れ用チャンバの実施形態の側面図の概略図である。チャンバの床は、メッシュ底部（２５０）、頂部パネル（１１０）、第１端部パネル（１３０）、位置決めパネル（１５０）、第１側部パネル（１２０）（明瞭さのため、図４Ａには示されない；図３を参照）、及び第１側部パネル（１２２）（同様に図４Ａに示されない）によって形成される。使用中、コンパニオン・アニマル（２０）は第１端部パネル（１３０）に面する。一般的に、位置決めパネル（１５０）は、メッシュ底部（２５０）の平面により鋭角（９０度未満）の角度Ａを形成し、一方、第１端部パネル（１３０）は、メッシュ底部（２５０）の平面により鈍角（９０乃至１８０度）の角度Ｂを形成する。
【００２５】
図４Ｂは、上昇位置にある鉤爪手入れ用チャンバアセンブリの実施形態の側面図の概略図であり、ここで、鉤爪手入れ用チャンバアセンブリは、外枠（２１０）を有するが、アセンブリ傾斜支持体（２４０）を欠く。そのような実施形態において、傾斜角度は、調整可能なロッキングクピボット又はロッキングヒンジ（２３２）により支持される。外枠（２１０）は、図３の実施形態におけるような完全な長方形、即ち、固形又は中実重量の土台、或いは側部対向ヒンジ（２３２）にて開く３面の土台でもよい。
【００２６】
図４Ｃは、上昇位置にある鉤爪手入れ用チャンバアセンブリの実施形態の側面図の概略図であり、ここで、鉤爪手入れ用チャンバアセンブリは、アセンブリ傾斜支持体（２４０）を有するが、外枠（２１０）を欠く。そのような実施形態において、少なくとも２つの脚部（２６４）は、図１Ａ乃至図３に示される実施形態におけるように、外枠（２１０）の代わりに内枠（２２０）に付けられる。好ましい実施形態において、脚部（２６４）は、滑らかな表面上での滑りを減少させる材料を含む。アセンブリ傾斜支持体（２４０）は典型的に、内枠（２２０）に枢着される。任意に、アセンブリ傾斜支持体（２４０）も、少なくとも１つの折り畳み締め具（２４６）によって内枠（２２０）に繋げられる。
【００２７】
図４Ｄは、上昇位置にある鉤爪手入れ用チャンバアセンブリの実施形態の斜視図であり、ここで、鉤爪手入れ用チャンバアセンブリは、アセンブリ傾斜支持体（２４０）を有するが、外枠（２１０）を欠く。アセンブリ傾斜支持体（２４０）は、鉤爪手入れ用チャンバアセンブリが置かれる表面に接触する２つの脚部を有する。この実施形態において、アセンブリ傾斜支持体（２４０）は、少なくとも１つのピボットアダプター（２４２）により、内枠（２２０）に枢着される。任意に、図４Ｃで示されるように、アセンブリ傾斜支持体（２４０）も、少なくとも１つの折り畳み締め具（２４６）によって内枠（２２０）に繋げられ得る。
【００２８】
図５Ａ及び図５Ｂは、図４Ａに従った鉤爪手入れ用チャンバアセンブリの２つの実施形態の斜視図であり、チャンバヒンジ（１８２）を使用してチャンバに接続される頂部パネル（１１０）及び位置決めパネル（１５０）を示す。好ましい実施形態において、チャンバヒンジ（１８２）はポリマーリビングヒンジを含む。
【００２９】
図６Ａは、ヒンジ（２３０）によって互いに又は内枠（２２０）に接続された、頂部パネル（１１０）、第１端部パネル（１３０）、第１側部パネル（１２０）、第２側部パネル（１２２）、及び位置決めパネル（１５０）を含む、単一の水平な成型構造において鉤爪手入れ用チャンバ及び内枠（２２０）が製造される実施形態の概略図である。好ましい実施形態において、ヒンジ（２３０）はポリマーリビングヒンジを含む。
【００３０】
図６Ｂは、成型した隆起部（１４４）を有し、且つ第１端部パネル（１３０）の並置された端部、及び第１側部パネル（１２０）並びに第２側部パネル（１２２）の端部でチャンバ接合部（１８０）により組み立てられる、図６Ａの成型構造の実施形態の斜視図である。
【００３１】
図７Ａ乃至図１１は、土台（２００）に付けられる柔らかい側部の（ｓｏｆｔ−ｓｉｄｅｄ）チャンバの実施形態を示す。チャンバのパネルは、外枠（２１０）にそれ自体が付けられているパネル支持部材（１９０）により支持される、織物、不織布、又はポリマーのシートを含む。図示した実施形態は、ワンピースの湾曲したパネル支持部材（１９０）を示す。しかし、当業者は、長方形又は三角形の特性などの他の幾何学的形状の柔らかい側部のパネルを設けるように、パネル支持部材を作ることができることを認識する。
【００３２】
図７Ａ及び図７Ｂは、柔らかい側部及び端部パネルを有し、且つ鉤爪手入れ用チャンバアセンブリを形成するように土台（２００）に取り付けられる、図４Ａに従った鉤爪手入れ用チャンバの実施形態の斜視図である。パネル支持部材（１９０）の湾曲した形状のため、第１端部パネル（１３０）は位置決めパネル（１５０）と連続している。位置決めパネル（１５０）は、その頂部にて第１端部パネル（１３０）に付けられ、側面閉鎖部（１５２）及び土台ラッチ部分（１５４）を有する。好ましい実施形態において、側面閉鎖部（１５２）は、フック及びループの閉鎖部又はジッパーを含む。好ましい実施形態において、土台ラッチ部分（１５４）は、フック及びループの閉鎖部を含む。
【００３３】
好ましい実施形態において、メッシュを含む排気パネル（１７４）は、第１端部パネル（１３０）、第１側部パネル（１２０）、第２側部パネル（１２２）、又は位置決めパネル（１５０）の少なくとも１つに設けられる。
【００３４】
図８Ａは、外枠、内枠（２２０）、メッシュ底部（２５０）、及びアセンブリ傾斜支持体（２４０）の構成要素を示す、上昇位置にある図７Ａ及び図７Ｂに従った実施形態の鉤爪手入れ用チャンバアセンブリの土台の分解斜視図である。外枠（２１０）は、コーナーブロック（２１２）にて接続される直線の外枠部材（２１４）を含む。特定の実施形態において、外枠部材（２１４）は、断面が正方形、長方形、又は円形であり得るチューブである。特定の実施形態において、コーナーブロック（２１２）は、パネル支持部材（１９０）の端部を受けるための円柱状空間を画成する。好ましい実施形態において、パネル支持部材（１９０）の端部は、後にコーナーブロックによって画成された対応する受器（２１６）に挿入されるパネル支持アダプター（１９２）に挿入される（図８Ｂを参照）。好ましい実施形態において、パネル支持アダプター（１９２）はポリマーを含む。
【００３５】
内枠（２２０）は、チャンバのメッシュ底部（２５０）を収容する。内枠（２２０）は、内枠支持ブロック（２１９）の上、及び任意に、内枠に対向する外枠部材（２１４）の壁の対応する高さで支持ピン、ブロック、又は隆起部の上にある（図示せず）。
【００３６】
図８Ａ及び図８Ｂに示されるように、アセンブリ傾斜支持体（２４０）は、外枠（２１０）に枢着される。図８Ｂは、外枠部材（２１４）へのアセンブリ傾斜支持体（２４０）の枢着を示す、水平位置にある図８Ａの外枠の角の詳細の斜視図である。図８Ａ及び図８Ｂに示されるように、特定の実施形態において、アセンブリ傾斜支持体（２４０）の端部は、外枠部材（２１４）の壁にある開口部（２１８）に挿入されるピボットアダプター（２４２）に挿入される。好ましい実施形態において、ピボットアダプター（２４２）はポリマーを含む。特定の実施形態において、一連の開口部（２１８）は、アセンブリの傾斜角度を調整するために設けられるべき外枠部材（２１４）の壁に設けられる。傾斜角度も、外枠に枢着される端部に対向するアセンブリ傾斜支持体（２４０）の端部に付けられる、傾斜角度固定器具（２４４）を使用して調整され得る。傾斜角度固定器具（２４４）の１つの端部は、アセンブリ傾斜支持体（２４０）に接続され、傾斜角度固定器具（２４４）の他の端部は、外枠（２１０）又は内枠（２２０）に接続される。特定の実施形態において、傾斜角度は、傾斜角度固定器具（２４４）の長さの調整により調整することができる。他の実施形態において、折り畳み締め具（２４６）。
【００３７】
図９Ａは、位置決めパネル（１５０）が開くことを示す、図７Ａ及び図７Ｂに従った実施形態の鉤爪手入れ用チャンバアセンブリの斜視図である。好ましい実施形態において、位置決めパネルラッチ部分（１５４）及び対向する外枠ラッチ部分（２１１）は、フック及びループの閉鎖部の対応する構成要素である。
【００３８】
図９Ｂは、土台（２００）から離れ、且つ折り畳まれた、図９Ａの鉤爪手入れ用チャンバの斜視図である。柔軟なパネル支持部材（１９２）の曲線は、円の弧、楕円のセグメント、又は数学的な方程式によって都合良く定義される別の曲線として記載され得る。図４Ａに関して、第１端部パネル（１３０）の鈍角Ｂ及び位置決めパネル（１５０）の鋭角Ａは、位置決めパネル（１５０）を支持する支持アダプター（１９２）の一部の曲率半径よりも小さい、第１端部パネル（１３０）を支持する支持アダプター（１９２）の一部の曲率半径を有することにより、柔らかい側部の実施形態において近似することができる。
【００３９】
支持アダプター（１９２）は、アルミニウムなどの適切な金属で予め形成することができる。他の実施形態において、支持アダプター（１９２）は、繊維ガラスなどの、適切なポリマー又は適切な複合体の柔軟なロッド又はシリンダーでもよい。支持アダプター（１９２）が柔軟なロッド又はシリンダーである場合、曲率半径は、外枠における受器開口部（２１６）の角度によって配置することができる。
【００４０】
支持アダプター（１９２）は、連続的又は断続的なスリーブ、閉鎖部により固定されるテープ又はフラップ、又はループ、リング又はパネルに固定される他の付着部位により、第１端部パネル（１３０）、第１側部パネル（１２０）、第２側部パネル（１２２）、及び位置決めパネル（１５０）に付けることができる。支持アダプター（１９２）は、パネルの内面又は外面に付けら得；好ましい実施形態において、支持アダプター（１９２）はパネルの内面に付けられる。好ましい実施形態において、支持アダプター（１９２）の取り付けは、第１端部パネル（１３０）及び位置決めパネル（１５０）を備えた側部パネルの接合部に関連する。
【００４１】
図１０Ａは、上昇位置にある図７Ａ及び図８Ａに従った実施形態の鉤爪手入れ用チャンバアセンブリの斜視図である。図１０Ｂは、図１０Ａの鉤爪手入れ用チャンバアセンブリの側面図である。
【００４２】
図１１は、鉤爪手入れ用チャンバ（１００）、内枠（２２０）、及び外枠（２１０）の関係を示す、水平位置にある図７Ａ及び図８Ａに従った実施形態の鉤爪手入れ用チャンバアセンブリの分解斜視図である。
【００４３】
前述の発明は明瞭さ及び理解のために幾つか詳しく記載されている一方で、これら特定の実施形態は、実例的なものであると考慮されるべきであり、限定的なものではない。具体的な実施形態よりもむしろ添付の請求項によって定義されるべき本発明の真の範囲から逸脱することなく、形態及び詳細における様々な変更が行われ得るということを、本開示の解釈から当業者によって認識されるであろう。
【００４４】
他に定義されない限り、本明細書で使用される全ての技術的用語及び科学的用語は、本発明の属する技術分野における当業者によって一般に理解されるものと同じ意味を有する。不一致の場合には、定義を含む本開示が、統制するであろう。
【図１Ａ】
2015506682.tif 000003
【図１Ｂ】
2015506682.tif 000004
【図１Ｃ】
2015506682.tif 000005
【図１Ｄ】
2015506682.tif 000006
【図２】
2015506682.tif 000007
【図３】
2015506682.tif 000008
【図４Ａ】
2015506682.tif 000009
【図４Ｂ】
2015506682.tif 000010
【図４Ｃ】
2015506682.tif 000011
【図４Ｄ】
2015506682.tif 000012
【図５Ａ】
2015506682.tif 000013
【図５Ｂ】
2015506682.tif 000014
【図６Ａ】
2015506682.tif 000015
【図６Ｂ】
2015506682.tif 000016
【図７Ａ】
2015506682.tif 000017
【図７Ｂ】
2015506682.tif 000018
【図８Ａ】
2015506682.tif 000019
【図８Ｂ】
2015506682.tif 000020
【図９Ａ】
2015506682.tif 000021
【図９Ｂ】
2015506682.tif 000022
【図１０Ａ】
2015506682.tif 000023
【図１０Ｂ】
2015506682.tif 000024
【図１１】
2015506682.tif 000025
【国際調査報告】
2015506682.tif 000026